(57)【要約】【課題】補強土壁に設置する際に生じる段差からの転落防止用の安全柵２を提供する。【解決手段】水平桁２１の一端にはパネル１のジベル１４を上下に貫通する貫通穴２１ｂを備え、水平桁２１の他端の下面には、パネル１の受穴１５に挿入する挿入棒２１ａを下向きに備え、水平桁２１には縦桟２２を備え、縦桟２２には横桟２３を備える。そして横桟２３の長さは、上段パネル１の間隔よりも長く設定する。【選択図】図１
2016121457.tif 000002
【特許請求の範囲】
【請求項１】
盛土層の外側に、高さ方向に段差を設けてパネルを積み上げる補強土壁において、
パネルの一方の側短辺の上縁には上向きのジベルが突設してあり、他方の側短辺の上縁には鉛直方向の受穴が形成してあるパネルを使用して構築する補強土壁において使用する安全柵であって、
水平桁の一端にはパネルのジベルを上下に貫通する貫通穴を有し、
水平桁の他端の下面には、パネルの受穴に挿入する挿入棒を下向きに有し、
水平桁にはそれよりも上部に縦桟を有し、
縦桟には横桟を有し、
横桟の長さは、両側のパネルの上短辺の間隔よりも長く設定したことを特徴とする、
安全柵。
【請求項２】
前記の挿入棒の軸心の鉛直線と、横桟の内側面との水平距離が、
パネルの厚さのほぼ半分であるように構成したことを特徴とする、
請求項１記載の安全柵。
【請求項３】
前記の水平桁に開口した貫通穴が、
水平桁の軸方向に長い楕円形であることを特徴とする、
請求項１記載の安全柵。
【発明の詳細な説明】
【技術分野】
【０００１】
本発明は補強土壁に設置する安全柵に関するものである。
【背景技術】
【０００２】
補強土工法の一種類として、「テールアルメ工法」（登録商標）と称する工法が広く採用されている。
この工法は、ストリップと称する帯鋼の補強材を盛土内に層状に配置して、ストリップと盛土材との摩擦力による引抜抵抗力で土留効果を発揮させる工法である。
その盛土の露出面には、薄いコンクリート製のパネルを鉛直に近い角度に積み上げて崩壊を防止する。
このパネルは、外側の正面から見て十文字状に形成してあり、上方に上短辺、両側に側短辺を、下方に下短辺を備えている
そのような形状のパネルを、裏込盛土の作業と同時進行によって高さ方向に千鳥状に積み上げる。
パネルの積み上げに際しては図３に示すように上段のパネルの側短辺と、下段のパネルの上短辺との間には常にパネル高さの半分の段差が生じるので、そのような段差部分からの転落事故を防止するための措置が必要となる。
そのような転落防止措置として、パネルの盛土側に強固な部材を設置すると、盛土の度に盛り変えが必要となり、手数を要する。
簡易なロープを張り渡す方法では、安全性に問題がある。
そのような対策のひとつとして特許文献１に記載したような発明も知られている。
【先行技術文献】
【特許文献】
【０００３】
【特許文献１】特開２００５−１８８１７０号公報。
【発明の概要】
【発明が解決しようとする課題】
【０００４】
前記した特許文献１記載の安全柵、その他の安全柵は一般に壁面パネルの上から把持部を引っ掛けて段差部に防護柵、手すりを設置する構造である。
そのため壁面パネルの前面に金具が接触することになり、パネル前面に傷をつけないための養生や、錆の液が垂れることによる汚染防止の措置が必要となる。
【課題を解決するための手段】
【０００５】
上記のような課題を解決する本発明の補強土壁に設置する安全柵は、高さ方向に段差を設けてパネルを積み上げる補強土壁において、パネルの一方の側面には上向きのジベルが突設してあり、他方の側面には鉛直方向の受穴が形成してあるパネルを使用する補強土壁において使用する安全柵であって、水平桁の一端にはパネルのジベルを上下に貫通する貫通穴を備え、水平桁の他端の下面には、パネルの受穴に挿入する挿入棒を下向きに備え、水平桁には縦桟を備え、縦桟には横桟を備え、横桟の長さは、上段パネルの間隔よりも長く設定したことを特徴とするものである。
また本発明の安全柵は、挿入棒の軸心の鉛直線と、横桟の内側面との水平距離が、パネルの厚さのほぼ半分であるように構成したことを特徴とするものである。
また本発明の安全柵は、水平桁に開口した貫通穴が、水平桁の軸方向に長い楕円形であることを特徴とするものである。
【発明の効果】
【０００６】
本発明の補強土壁に設置する安全柵は以上説明したようになるから次のような効果を得ることができる。
＜１＞  安全柵の水平桁の下面に下向きに設けた挿入棒をパネルの受穴に、パネルの上向きのジベルを水平桁の貫通穴に挿入するだけの簡単な作業で、安全柵を上段のパネル間の段差を閉塞することができる。
＜２＞  その際に、横桟の長さは上段パネルの間隔よりも長く設定してあるから、横桟の両端が上段パネルの盛土側の面に接触して支持される。したがって横桟に盛土側の作業員の荷重が加わっても、パネルによって支持された安全柵がパネルの外側に転倒することがなく、作業員の転落事故を確実に阻止することができる。
＜３＞  盛土の盛り立てにともなって、パネルを積み上げる際には、安全柵を上側に引き上げるだけで、簡単に撤去することができる。
＜４＞  安全柵のいずれの部材も、パネルの外側には露出しないから、パネル表面に傷をつける可能性がなく、錆が発生してもその液体がパネル表面を汚染することもない。
＜５＞  貫通穴を水平桁の軸方向に長い楕円形に形成した場合には、取り付け、取り外しがスムーズに行えるだけでなく、パネル設置の施工誤差があっても、ジベルの貫通穴への挿入が可能である。
【図面の簡単な説明】
【０００７】
【図１】本発明の補強土壁に設置する安全柵実施例を、壁の外側から見た状態の説明図。
【図２】安全柵を取り付けた状態を盛土側から見た状態の説明図。
【図３】補強工法でパネル間に段差が生じる状態の説明図。
【図４】パネルの構造の説明図。
【発明を実施するための形態】
【０００８】
以下図面を参照にしながら本発明の補強土壁に設置する安全柵の実施の形態を詳細に説明する。
【実施例】
【０００９】
＜１＞前提条件。
前記したように本発明の安全柵は、盛土層の間にストリップ３と称する鋼材の帯を敷設し、その盛土層の前面にパネル１を千鳥状に積み上げて行う工法に使用するものである。
その際に使用するパネル１の形状と名称を図４において説明する。
パネル１は、前記したように補強土壁の正面から見た場合に十文字状に形成してあり、上方に上短辺１１、両側に側短辺１２を、下方に下短辺１３を備えている。
そして一方の側短辺１２の上縁には鉛直方向にボルト材であるジベル１４が突出している。
また他方の側短辺１２の上縁には、鉛直方向にジベル１４の直径よりも多少大きい直径の穴である受穴１５が形成してある。
【００１０】
＜２＞安全柵の全体の構成。
本発明の安全柵２は、図１に示すように、水平桁２１と縦桟２２と横桟２３によって構成する。
【００１１】
＜３＞水平桁。
水平桁２１は例えば断面がＬ字状のアングル材のような、十分な強度を備えた長尺部材である。
この水平桁２１の長さは、上段のパネル１の間に位置させたときに、パネル１の側短辺１２の間隔Ｌ１よりも長く、しかし上短辺１１の間隔Ｌ２よりも多少短い寸法として形成する。
したがって水平桁２１は、側短辺１２の上縁に載置することができる。
水平桁２１の一端には、その水平面に上下を貫通する貫通穴２１ｂを開口する。
この貫通穴２１ｂは、パネル１のジベル１４を上下に貫通することができる寸法の穴である。
特に貫通穴２１ｂを、水平桁２１の長手方向に長い楕円形に形成すると、パネル１の積み上げ時の誤差を吸収することができて便利である。
また、水平桁２１の他端の下面には、鋼棒である挿入棒２１ａを下向きに突設させて設置する。
この挿入棒２１ａは、パネル１の受穴１５に挿入するためのものである。
【００１２】
＜４＞縦桟と横桟。
水平桁２１には、その上部に縦桟２２を取り付ける。
（なお明細書、特許請求の範囲で水平、縦、横と称するのは、説明の便宜のために安全柵２を実際に取り付けた状態を想定した呼称であり、かつ数学的な精度に基づく水平、縦、横ではない。）
縦桟２２は、縦方向に配置する長尺の鋼材であり、縦桟２２の下端を水平桁２１に溶接して、複数本を取り付ける。
そして、複数本の縦桟２２の間を連結する状態で、水平方向の横桟２３を溶接して取り付ける。
この横桟２３も、長尺の鋼材である。
この場合に横桟２３の長さは、パネル１間に位置させたときに、両側に位置するパネル１の上短辺１１の間隔よりも長く設定する。
【００１３】
＜５＞挿入棒と横桟との水平距離。
水平桁２１の挿入棒２１ａを受穴１５に挿入した場合に、横桟２３はパネル１の上短辺１１の盛土側に接触する必要がある。
そのために、挿入棒２１ａの軸心の鉛直線と、横桟２３の外側面との、パネル１の側面からの水平距離が、パネル１の厚さのほぼ半分であるように構成する。
ここに「外側面」とは、盛土側でない面のことである。
【００１４】
＜６＞使用方法。
前記したようにこの補強土工法は、パネル１を千鳥状に積み上げ、その盛土側にストリップ３と称する鋼板を敷設する工法であるから、図３で説明したように、両側のパネル１の間にパネル１の半分の高さの段差が生じる。
その状態において、両側のパネル１の側短辺１２の上縁の上に、本発明の安全柵２の水平桁２１を搭載する。
水平桁２１の一方には下向きに挿入棒２１ａが突設しているから、この挿入棒２１ａをパネル１の受穴１５に挿入する。
また水平桁２１の貫通穴２１ｂには、パネル１の上短辺１１から上向きに突設しているジベル１４を挿入して、ナットを締めつけて固定する。
すると挿入棒２１ａの鉛直軸心と、横桟２３の外側面との間隔が、パネル１の厚さのほぼ半分に構成してあるので、横桟２３の外側面は、パネル１の盛土側の面に当たって、外側への倒れが拘束される。
そのために、作業員が横桟２３に体重をかけた場合にも、横桟２３の外側面がパネル１の盛土側に支持されて、外向きに転倒することがなく、確実に転落事故を防止することができる。
【符号の説明】
【００１５】
１：パネル
２：安全柵
２１：水平桁
２１ａ：挿入棒
２２：縦桟木
２３：横桟
【図１】
2016121457.tif 000003
【図２】
2016121457.tif 000004
【図３】
2016121457.tif 000005
【図４】
2016121457.tif 000006